(57)【要約】　　　（修正有）【課題】アナログミキサーとしてもデジタルミキサーとしても使用するミキシング装置を提供する。【解決手段】アナログ音声信号処理手段と、前記アナログ音声信号処理手段を制御する第１の制御信号入力手段と、前記第１のアナログ制御信号を第１のデジタル制御信号に変換する第１のアナログデジタル変換手段と、前記第１のデジタル制御信号を第２のアナログ制御信号に変換して前記アナログ音声信号処理手段に供給する第１のデジタルアナログ変換手段と、前記アナログ音声信号処理手段を制御する第２の制御信号入力手段と、前記第２のデジタル制御信号を第３のアナログ制御信号に変換し前記アナログ音声信号処理手段に供給する第２のデジタルアナログ変換手段とを有する。前記第３のアナログ制御信号の前記アナログ音声信号処理手段への供給を停止することが可能なスイッチ手段を備えることにより、デジタルミキサーとしても機能を無効化することが出来る。【選択図】　図２
2004104569.tif 000002
【特許請求の範囲】
【請求項１】
アナログ音声信号を処理するアナログ音声信号処理手段と、前記アナログ音声信号処理手段を制御するための第１のアナログ制御信号を入力するための第１の制御信号入力手段と、
前記第１のアナログ制御信号を第１のデジタル制御信号に変換する第１のアナログデジタル変換手段と、
前記第１のデジタル制御信号を第２のアナログ制御信号に変換して前記アナログ音声信号処理手段に供給する第１のデジタルアナログ変換手段と
を有するミキシング装置。
【請求項２】
さらに、前記アナログ音声信号処理手段を制御するための第２のデジタル制御信号を入力するための第２の制御信号入力手段と、
前記第２のデジタル制御信号を第３のアナログ制御信号に変換して前記アナログ音声信号処理手段に供給する第２のデジタルアナログ変換手段と
を有する請求項１記載のミキシング装置。
【請求項３】
さらに、前記第３のアナログ制御信号の前記アナログ音声信号処理手段への供給を停止することが可能なスイッチ手段を有する請求項２記載のミキシング装置。
【発明の詳細な説明】
【０００１】
【発明の属する技術分野】本発明は、複数の電子楽器やオーディオ機器が出力する音声信号をミキシングするミキシング装置に関する。
【０００２】
【従来の技術】ミキシング装置には、電子楽器や、マイク等から入力されるアナログの音声信号をアナログでミキシングするアナログミキサーと、電子楽器や、マイク等から入力されるアナログ又はデジタルの音声信号をデジタルでミキシングするデジタルミキサーとがある。
【０００３】
ミキシング装置は、複数チャンネルで入力される音声信号を各チャンネル毎に、適宜イコライジング、音量調節、効果付与等の処理を行い、その後、複数チャンネルをミキシングして、出力することが出来る。
【０００４】
一般的なデジタルミキサーは、ミキサーの各種パラメータを一括して変更できるシーンデータ機能を有しているが、アナログミキサーは、この機能を有していない。
【０００５】
【発明が解決しようとする課題】以前からアナログミキサーを使っていたユーザは、デジタル処理された音声よりもアナログ処理された音声を好む場合がある。そこで、アナログミキサーにシーンデータ機能を付与することが考えられるが、アナログ操作子の状態等を記録するのは、困難であった。
【０００６】
また、従来からのアナログミキサーのユーザは、シーンデータ機能等の操作子が、ミキサーの操作パネル上に設置されると、該機能を誤動作をさせる可能性がある。
【０００７】
本発明の目的は、必要に応じてアナログミキサーとしてもデジタルミキサーとしても使用することができるミキシング装置を提供することである。
【０００８】
【課題を解決するための手段】本発明の一観点によれば、ミキシング装置は、アナログ音声信号を処理するアナログ音声信号処理手段と、前記アナログ音声信号処理手段を制御するための第１のアナログ制御信号を入力するための第１の制御信号入力手段と、前記第１のアナログ制御信号を第１のデジタル制御信号に変換する第１のアナログデジタル変換手段と、前記第１のデジタル制御信号を第２のアナログ制御信号に変換して前記アナログ音声信号処理手段に供給する第１のデジタルアナログ変換手段とを有する。
【０００９】
【発明の実施の形態】
図１は、本発明の実施例によるミキシング装置１の基本構成を表すブロック図である。
【００１０】
ミキシング装置１は、デジタル部２、アナログ部３、及び各種操作子（デジタル操作子９及びアナログ操作子１９等）や表示部１１等を有するパネル部を含んで構成される。
【００１１】
デジタル部２のバス４には、ＲＡＭ５、ＲＯＭ６、ＣＰＵ７、検出回路８、表示回路１０、フラッシュメモリ１２、外部通信インターフェイス（Ｉ／Ｆ）１３、内部通信インターフェイス（Ｉ／Ｆ）１５が接続される。
【００１２】
ＲＡＭ５は、フラグ、レジスタ又はバッファ、各種データ等を記憶するＣＰＵ７用のワーキングエリアを有する。また、後述するカレントシーンメモリ３０としても機能も有する。
【００１３】
ＲＯＭ６には、プリセットデータ、各種パラメータ及び制御プログラム、及び本実施例を実現するためのプログラム等を記憶することができる。ＣＰＵ７は、ＲＯＭ６に記憶されている制御プログラム等に従い、演算又は制御を行う。
【００１４】
デジタル操作子９は、検出回路８に接続される本実施例によるミキシング装置のデジタル機能に関するユーザの指示を入力する。デジタル操作子９は、例えば、スイッチ、ジョグシャトル、ロータリーエンコーダ、フェーダー、スライダ、マウス、キーボード、鍵盤、ジョイスティック等、ユーザの入力に応じた信号を出力できるものならどのようなものでもよい。本実施例では、ユーザは、このデジタル操作子９を用いて、後述するシーンデータの読み込み及び書き出し、デジタル機能のオンオフ（アナログモードのオンオフ）等の指示を行う。
【００１５】
表示回路１０は、表示部（ディスプレイ）１１に接続され、チャンネルの割当て、各チャンネルのイコライジング、効果付与の設定、音量調節等の各種情報を表示部１１に表示することができる。表示部１１は、液晶表示装置（ＬＣＤ）、発光ダイオード（ＬＥＤ）等で構成されるが、各種情報を表示できるものならばどのようなものでもよい。
【００１６】
フラッシュメモリ１２は、例えば、書き換え可能な半導体メモリである。本実施例では、このフラッシュメモリ中に後述するシーンデータを記録する。
【００１７】
また、フラッシュメモリ１２に加えて、例えば、ＣＤ−ＲＷドライブ、フラッシュメモリなどの半導体メモリ、フロッピ（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ　Ｖｅｒｓａｔｉｌｅ　Ｄｉｓｃ）ドライブ等を接続できるようにしても良い。
【００１８】
外部通信インターフェイス１３は、本実施例のミキシング装置１を外部から制御することが可能な外部制御機器１４や、電子楽器、他の音響機器、コンピュータ、増設ＨＤＤ等に接続できるインターフェイスである。この場合、外部通信インターフェイス１３は、ＭＩＤＩインターフェイス、ＳＣＳＩ（ＳＭＡＬＬ　ＣＯＭＰＵＴＥＲ　ＳＹＳＴＥＭ　ＩＮＴＥＲＦＡＣＥ）、ＲＳ−２３２Ｃ、ＵＳＢ（ユニバーサル・シリアル・バス）、ＩＥＥＥ１３９４（アイトリプルイー１３９４）等の汎用のインターフェイス又は外部制御機器接続用の専用インターフェイスを用いて構成する。また、外部通信インターフェイス１３として、さらにインターネット等の公共通信ネットワークやローカルエリアネットワーク（ＬＡＮ）等に接続可能な通信インターフェイスを有していても良い。
【００１９】
外部制御機器１４は、例えば、ミキシング装置を制御可能なプログラムを実行するコンピュータや他のミキシング装置などであり、本実施例のミキシング装置１に対して、後述するシーンデータ３３を含むデジタル制御信号を送信する。
【００２０】
内部通信インターフェイス１５は、アナログ部２と接続できるインターフェイスであり、デジタル部２と、アナログ部３は、この内部通信インターフェイス１５を介して制御信号等の送受信を行う。
【００２１】
アナログ部３は、例えば、信号入力部１６、信号制御部１７及び信号出力部１８を含んで構成される。信号出力部１８及び信号制御部１７は、内部通信インターフェイス１５を介して、デジタル部２と接続されている。
【００２２】
信号入力部１６は、複数のアナログ音声信号入力端子を備え、入力されるアナログ音声信号を信号制御部１７に出力する。なお、デジタル／アナログ・コンバータを備えることにより、デジタル音声信号を入力できるようにしても良い。いずれの場合にも、信号制御部１７に出力される信号は、アナログ形式の信号である。
【００２３】
信号制御部１７は、アナログ音声信号に対して効果を付与するアナログ効果回路、複数のアナログ音声信号をミキシングするアナログミキシング回路等を含んで構成される。具体的には、例えば、複数のＶＣＡ（Ｖｏｌｔａｇｅ　Ｃｏｎｔｒｏｌｌｅｄ　Ａｍｐｌｉｆｉｅｒ）、ＶＣＦ（Ｖｏｌｔａｇｅ　Ｃｏｎｔｒｏｌｌｅｄ　Ｆｉｌｔｅｒ）等を含んで構成される。また、図２を用いて、後述するように、アナログ操作子１９からのアナログ制御信号を一旦デジタル制御信号に変換するアナログ／デジタル変換部２０及びデジタル化した信号を再度アナログ制御信号に変換するデジタル／アナログ変換部２１ａを含む。また、図３に示すように、アナログ／デジタル変換部２０によって、変換されたデジタル制御信号は、内部通信インターフェイス１５を介して、デジタル部２へと送られ、セットアップパラメータ３１及びシーンパラメータ３２として、ＲＡＭ５内のバッファ領域に設けられるカレントシーンメモリ３０に記録される。
【００２４】
信号出力部１８は、信号制御部１７から出力されるアナログ音声信号を出力するためのアナログ音声出力端子を複数備えている。
【００２５】
アナログ操作子１９は、信号制御部１７を制御するためのアナログ制御信号を出力する操作子である。ユーザは、複数の操作子（入力手段）で構成されるアナログ操作子１９を用いて、イコライジング、効果付与の設定、音量調節、ミキシング処理の設定等をすることができる。アナログ操作子１９は、例えば、ジョグシャトル、ロータリーエンコーダ、フェーダー、スライダ、スイッチ等、ユーザの入力に応じたアナログ制御信号を出力できるものならどのようなものでもよい。
【００２６】
図２は、本実施例によるミキシング装置１の制御信号及び音声信号の流れを表すブロック図である。以下、ユーザが、アナログ操作子１９（図１）の１つであるフェーダー１９ｆを操作した場合を中心に説明する。なお、フェーダー１９ｆは、信号入力部１６に入力されるアナログ音声信号の音量を制御するための操作子である。また、図中、実線の矢印はデジタル制御信号を表し、１点鎖線の矢印はアナログ制御信号を表し、２点鎖線は、アナログ音声信号を表す。
【００２７】
ユーザが、フェーダー１９ｆを操作すると、フェーダー１９ｆからアナログ／デジタル（Ａ／Ｄ）変換部２０に、アナログ制御信号が出力される。Ａ／Ｄ変換部２０は、入力されたアナログ制御信号をデジタル制御信号に変換してＣＰＵ７ａに出力する。ＣＰＵ７ａでは、入力されたデジタル制御信号に必要に応じて、処理を施し、デジタル／アナログ（Ｄ／Ａ）変換部２１ａに該デジタル制御信号を出力する。なお、図示しないが、ＣＰＵ７ａは、入力されたデジタル制御信号を図１の内部通信インターフェイス１５を介してデジタル部２に出力する。
【００２８】
Ｄ／Ａ変換部２１ａは、入力されたデジタル制御信号は、再度アナログ制御信号に変換されて、ＶＣＡ（Ｖｏｌｔａｇｅ　Ｃｏｎｔｒｏｌｌｅｄ　Ａｍｐｌｉｆｉｅｒ）１７ａに出力される。
【００２９】
ＶＣＡ１７ａは、Ｄ／Ａ変換部２１ａから入力されるアナログ制御信号（すなわち、ユーザのフェーダー１９ｆの操作に応じたアナログ制御信号）に基づき、入力信号（アナログ音声信号）の音量を制御し、出力信号（アナログ音声信号）として、出力する。
【００３０】
このように、アナログ操作子（フェーダー１９ｆ）の制御信号を一旦デジタル制御信号に変換することにより、アナログ操作子の操作感覚を保ったまま、操作子の状態をデジタル記録することが出来るようになる。
【００３１】
また、一旦デジタル変換された制御信号を、再びアナログ制御信号へと変換することにより、ＶＣＡやＶＣＦなどのアナログ回路を制御することが出来る。
【００３２】
デジタル部２によって、記録されるデジタル制御信号（後述のシーンデータ）は、例えば、ユーザが、図１のデジタル操作子９を操作することにより、読み出され、ＣＰＵ７ｂを介して、Ｄ／Ａ変換部２１ｂに入力される。
【００３３】
Ｄ／Ａ変換部２１ｂは、入力されるデジタル制御信号をアナログ制御信号に変換して、ＶＣＡ１７ａに出力する。ＶＣＡ１７ａでは、前述のアナログ操作子からの制御信号の場合と同様に、入力信号（アナログ音声信号）の音量を制御し、出力信号（アナログ音声信号）として、出力する。
【００３４】
なお、ＣＰＵ７ｂに入力されるデジタル制御信号は、上述のような内部で発生した信号の場合に限らず、例えば、図１の外部制御機器１４等から、外部通信インターフェイス１３を介して入力（受信）される制御信号等でも良い。
【００３５】
図３は、本実施例によるカレントシーンメモリ３０の構成を表す概念図である。
【００３６】
カレントシーンメモリ３０は、例えば、図１のＲＡＭ５内のバッファ領域に設けられるミキシング装置１の現在の設定状態（全パラメータの設定値）を記録する領域である。カレントシーンメモリ３０には、アナログ操作子１９のみによって制御されるセットアップパラメータ３１と、アナログ操作子１９及び後述するシーンデータ３３の双方によって制御されるシーンパラメータ３２とが記録される。
【００３７】
シーンデータ３３は、ミキシング装置１の特定の設定状態を実現（又は復元）するためのパラメータ群を記録したデータである。記録されているパラメータ群は、ミキシング装置１が扱うことの出来るパラメータの１部である。この１部のパラメータとは、シーンパラメータ３２であり、主に、特定のミキシング状態を特徴付ける音声信号の制御に直接関係するパラメータである。具体的には、例えば、ミキサーチャンネルごとのレベル値、バスアサイン状態、ＶＣＡのレベル値等である。以下、シーンパラメータ３２及びシーンデータ３３で設定されるミキシング装置の特定のミキシング状態をパネル設定と呼ぶ。
【００３８】
セットアップパラメータ３１は、アナログ操作子１９のみによって制御されるパラメータであり、例えば、ミキサーチャンネルごとのキュー設定や、ソロ設定、ＭＩＤＩ関連の設定、各種モードの設定等である。
【００３９】
モード切替スイッチ３４は、アナログモードのオンオフを切り替えるためのスイッチである。図に示す状態は、アナログモードオンの状態である。つまり、アナログモードがオンの時は、モード切替スイッチ３４により、シーンデータ３３のカレントシーンメモリ３１への書き込みが停止されている。よって、アナログモードである時は、デジタル操作子９又は外部制御機器１４（図１）からのデジタル制御信号（シーンデータ３３）の入力や、フラッシュメモリ１２に記録されているシーンデータ３３の使用は禁止される。なお、アナログ操作子１９は、アナログモードのオンオフの状態に関係なくいつでも利用することが出来る。また、アナログモードがオンである時は、表示部１１（図１）の機能を制限して、常に、アナログモードがオンである旨を表示させる。
【００４０】
アナログモードがオフ（ノーマルモード）の時は、デジタル操作子９又は外部制御機器１４（図１）からのデジタル制御信号（シーンデータ３３）の入力や、フラッシュメモリ１２に記録されているシーンデータ３３の使用が可能となる。
【００４１】
シーンデータ３３を利用する機能（シーンデータ機能）は、従来のアナログミキサーには、装備されていなかったデジタルミキサー特有の機能である。アナログモードオンの時は、このシーンデータ機能のようなデジタル制御を行うデジタルミキサー特有の機能を無効化することにより、従来のアナログミキサーと同等の機能だけを有効にすることが出来る。
【００４２】
図４は、図１のＣＰＵ７で実行されるミキシング装置１のメイン処理を表すフローチャートである。このメイン処理は、ミキシング装置１の電源が投入されると自動的に起動される。
【００４３】
ステップＳＡ１で、メイン処理をスタートし、ステップＳＡ２で、ユーザからのモード切替指示があるか否かを判断する。モード切替の指示は、例えば、図１のデジタル操作子９を操作することにより行なう。モード切替の指示があれば、ＹＥＳの矢印で示すステップＳＡ３に進み、現在とは違うモードに切り替える。現在のモードがアナログモードである場合は、ノーマルモードに切り替え、例えば、図３に示すモード切替スイッチ３４を接続状態にするとともに、図１の表示部１１に各種情報を表示する。現在のモードがノーマルモードである場合は、アナログモードに切り替え、例えば、図３に示すモード切替スイッチ３４を切断状態にするとともに、図１の表示部１１にアナログモードである旨を表示する。モード切替の指示が無ければ、ＮＯの矢印で示すステップＳＡ４に進む。
【００４４】
ステップＳＡ４では、シーンデータの制御指示の有無を判断する。例えば、シーンデータ機能に関する物理的な操作子が操作されたか否かを検出する。ユーザによるシーンデータの制御指示がある場合は、ＹＥＳの矢印で示すステップＳＡ５に進む。制御指示がない場合は、ＮＯの矢印で示すステップＳＡ７に進む。
【００４５】
ステップＳＡ５では、アナログモードが設定されているか否かを判断する。現在のモードがアナログモードである場合は、シーンデータ機能（デジタルミキサー機能）は無効であるので、ＹＥＳの矢印で示すステップＳＡ７に進む。現在のモードがノーマルモードである場合は、ＮＯの矢印で示すステップＳＡ６に進む。
【００４６】
ステップＳＡ６では、ステップＳＡ４で検出したシーンデータの制御指示に相当するシーンデータの処理を行う。シーンデータの処理としては、例えば、「読出」、「記録」、「戻し」、「試用」等がある。
【００４７】
「読出」処理は、例えば、選択されたシーンデータ３３をフラッシュメモリ１２等から読み出してカレントシーンメモリ３０のシーンパラメータ３２を書き換える処理である。すなわち、選択されたシーンデータ３３に従い、ミキシング装置１のパネル設定を更新する処理である。「記録」処理は、カレントシーンメモリ３０のシーンパラメータ３２を新たなシーンデータ３３として、フラッシュメモリ１２等に記録する処理である。「戻し」処理は、カレントシーンメモリ３０のシーンパラメータ３２を直前に読み出されていたシーンデータ３３の内容に書き換える処理である。「試用」処理は、選択されたシーンデータ３３をフラッシュメモリ１２等から読み出してパネル設定を更新するが、更新前のパネル設定をＲＡＭ５等のバッファ内に保持することでシーンデータ３３の内容をレビューする処理である。
【００４８】
ステップＳＡ７では、外部通信インターフェイス１３に接続される外部制御機器１４からデータを受信したか否かを判断する。データを受信した場合は、ＹＥＳの矢印で示すステップＳＡ８に進む。受信していない場合は、ＮＯの矢印で示すステップＳＡ１２に進む。
【００４９】
ステップＳＡ８では、ステップＳＡ７で受信したデータが、シーンデータの制御指示であるか否かを判断する。シーンデータの制御指示である場合は、ＹＥＳの矢印で示すステップＳＡ１０に進む。シーンデータの制御指示でない場合は、ＮＯの矢印で示すステップＳＡ９に進む。
【００５０】
ステップＳＡ９では、ステップＳＡ７で外部から受信したデジタルデータやアナログデータに従った処理を行なう（通常接続とカスケード接続の両方の処理を含む）。
【００５１】
ステップＳＡ１０では、アナログモードが設定されているか否かを判断する。現在のモードがアナログモードである場合は、シーンデータ機能（デジタルミキサー機能）は無効であるので、ＹＥＳの矢印で示すステップＳＡ１２に進む。現在のモードがノーマルモードである場合は、ＮＯの矢印で示すステップＳＡ１１に進む。
【００５２】
ステップＳＡ１１では、ステップＳＡ７で受信したシーンデータの制御指示に基づき、ステップＳＡ６と同様にシーンデータの処理を行なう。
【００５３】
ステップＳＡ１２では、その他の処理を行なう。ここで実行されるその他の処理は、全て、現在のモードによらず実行される処理である。例えば、パネル上にあるフェーダなどのアナログ操作子１９を使っての制御指示に対応する処理である。
【００５４】
ステップＳＡ１３では、ミキシング装置１の停止指示（電源ＯＦＦ）の有無を判断する。停止指示があった場合は、ＹＥＳの矢印で示すステップＳＡ１４に進み、メイン処理を終了する。停止指示がない場合は、ＮＯの矢印で示すステップＳＡ２に戻り、以降の処理を繰り返す。
【００５５】
以上のように本発明の実施例によれば、シーンデータ機能等のデジタル制御機能を必要としない場合には、その機能を無効化し、従来のアナログミキサーと同様に動作させることもできる。よって、本実施例のミキシング装置１は、必要に応じてアナログミキサーとしてもデジタルミキサーとしても使用することができる。
【００５６】
また、ユーザが、シーンデータ機能等の操作子を誤操作して、該機能を誤動作させるのを防止することが出来る。
【００５７】
また本発明の実施例によれば、本発明の実施例によれば、アナログ音声信号をアナログ音声のまま処理するミキシング装置を、デジタルミキサーのように予め記録してあるシーンデータや外部からの制御信号に従って制御することが出来る。
【００５８】
また、デジタル処理された音声よりもアナログ処理された音声を好むユーザに対しても、音声信号をアナログ処理するとともにデジタル機能を有するミキシング装置を提供することが出来る。
【００５９】
なお、実施例ではデジタル機能としてシーンデータ機能をあげてその機能をアナログモード時に無効としているが、アナログモードは、従来のアナログミキサーに装備されていなかったデジタルミキサー特有の機能（デジタル制御機能）を無効にするものであり、無効にする機能は実施例のシーンデータ機能に限らず、他のデジタル制御機能を当然に含むものである。
【００６０】
また、実施例では、ＲＯＭに制御プログラムが記憶されているものとしたが、ＨＤやＣＤ−ＲＯＭ等に制御プログラムを記憶させておいてそれをＲＡＭに読み込むことで、ＲＯＭに制御プログラムを記憶している場合と同様の動作をＣＰＵにさせることができる。このようにすると、制御プログラムの追加やバージョンアップ等が容易に行える。
【００６１】
また、外部通信インターフェイスはＬＡＮやインターネットや電話回線などの通信ネットワークに接続可能であり、該通信ネットワークを介してサーバコンピュータと接続可能である。ハードディスク装置内に制御プログラムや各種データが記憶されていない場合、サーバコンピュータからプログラムやデータをダウンロードするために用いられる。
【００６２】
以上実施例に沿って本発明を説明したが、本発明はこれらに制限されるものではない。例えば、種々の変更、改良、組合せ等が可能なことは当業者に自明であろう。
【００６３】
【発明の効果】本発明によれば、必要に応じてアナログミキサーとしてもデジタルミキサーとしても使用することができるミキシング装置を提供することができる。
【図面の簡単な説明】
【図１】本発明の実施例によるミキシング装置１の基本構成を表すブロック図である。
【図２】本実施例によるミキシング装置１の制御信号及び音声信号の流れを表すブロック図である。
【図３】本実施例によるカレントシーンメモリ３０の構成を表す概念図である。
【図４】図１のＣＰＵ７で実行されるミキシング装置１のメイン処理を表すフローチャートである。
【符号の説明】１…ミキシング装置、２…デジタル部、３…アナログ部、４…バス、５…ＲＡＭ、６…ＲＯＭ、７…ＣＰＵ、８…検出回路、９…デジタル操作子、１０…表示回路、１１…表示部、１２…フラッシュメモリ、１３…外部通信インターフェイス、１４…外部制御機器、１５…内部通信インターフェイス、１６…信号入力部、１７…信号制御部、１８…信号出力部、１９…アナログ操作子、２０…Ａ／Ｄ変換部、２１…Ｄ／Ａ変換部、３０…カレントシーンメモリ、３１…セットアップパラメータ、３２…シーンパラメータ、３３…シーンデータ、３４…モード切替スイッチ
【図１】
2004104569.tif 000003
【図２】
2004104569.tif 000004
【図３】
2004104569.tif 000005
【図４】
2004104569.tif 000006